(57)【要約】      （修正有）【課題】渡り廊下等の通路が地震によって上下方向に揺れ動いた場合であっても、破損することなく、かつ、目地装置の設置部分の美観も維持することができる目地装置を提供すること。【解決手段】一方の躯体３と、目地部２を介して設けられた他方の躯体４と、他方の躯体４の方向に突出する通路５と、目地部２の一部を塞ぐ床用目地装置６と、目地部２の一部あるいは全部を塞ぐ壁面用目地装置７と、床用目地装置６及び壁面用目地装置７の下部を覆うように設けられたカバー装置９とで構成され、他方の躯体４に一端部が固定され、かつ、突出端部が通路５の突出端部付近の下方に位置するカバープレート２１と、カバープレート２１の前後方向に設けられ、一端部が回動可能に支持され、かつ壁面用目地装置７の外側に当接するように設けられた側部カバー部材２２と、通路５の底部とカバープレート２１の間の隙間を塞ぐ閉塞部材２３とで構成される。【選択図】図１
2020172766.tif 000002
【特許請求の範囲】
【請求項１】
一方の躯体と、前記一方の躯体と目地部を介して設けられた他方の躯体と、前記一方の躯体に設けられ前記他方の躯体の方向に突出する通路と、前記通路と前記他方の躯体の間の前記目地部の一部を塞ぐ床用目地装置と、前記目地部の一部あるいは全部を塞ぐ壁面用目地装置と、前記一方の躯体に設けられ、前記床用目地装置及び前記壁面用目地装置の下部を覆うように設けられたカバー装置とで構成され、前記カバー装置は、前記他方の躯体に一端部が固定されて前記通路と隔てて下方に設けられ、かつ、突出端部が前記通路の突出端部付近の下方に位置するカバープレートと、前記カバープレートの前後方向にそれぞれ設けられ、一端部が回動可能に支持され、かつ前記壁面用目地装置の外側に当接するように設けられた側部カバー部材と、前記通路の底部と前記カバープレートの間の隙間を塞ぐ閉塞部材とで構成される目地装置。
【請求項２】
前記閉塞部材は、弾性の樹脂板であることを特徴とする請求項１に記載の目地装置。
【請求項３】
前記閉塞部材は、上下方向に変位可能な閉塞板と、前記閉塞板の端部が前記通路の底部に当接するように付勢する付勢具と、前記閉塞板の端部が所定の位置より上方へ変位しないように制御するストッパーとで構成されることを特徴とする請求項１に記載の目地装置。
【請求項４】
前記床用目地装置は、前記他方の躯体にその一端部が取り付けられ、前記通路に他端部が支持される複数個のバー部材と、前記複数個のバー部材に架け渡すように取り付けられた複数個の目地プレートとで構成されることを特徴とする請求項１乃至請求項３のいずれかに記載の目地装置。
【請求項５】
前記壁面用目地装置は、一端部が前記通路の突出端部に取り付けられ、他端部が前記他方の躯体に取り付けられ、複数個の枢支部を有するリンク部材と、前記枢支部に枢支された複数個の目地カバーとで構成されることを特徴とする請求項１乃至請求項４のいずれかに記載の目地装置。
【請求項６】
前記一方の躯体と前記他方の躯体の間の天井部分の目地部を塞ぐ天井用目地装置をさらに備えることを特徴とする請求項１乃至請求項５のいずれかに記載の目地装置。
【発明の詳細な説明】
【技術分野】
【０００１】
本発明は目地部を介して設けられた躯体の間、主に一方の躯体に設けられた渡り廊下等の通路と他方の躯体間の目地部を塞ぐ目地装置に関する。
【背景技術】
【０００２】
従来、一方の躯体に設けられ、他方の躯体側に突出した渡り廊下等の通路と他方の躯体との間の目地部を塞ぐ目地装置としては、「一方の建物の一方の通路の開口端部と目地部を介して配置される他方の建物の他方の通路の目地部側の床面に、該目地部の幅寸法の約２倍の幅寸法で形成されたスライド支持凹部と、一端部が前記一方の通路の開口端部の床躯体に所定間隔で枢支され、他端部が前記スライド支持凹部のほぼ中央部にスライド移動可能に位置する支持バーに所定間隔で枢支された複数本のプレート支持バーと、前記支持バーを前記スライド支持凹部のほぼ中央部を支持した状態で左右方向にスライド移動させるガイド手段と、前記複数本のプレート支持バー上を覆うように枢支され、かつ両側部にスライド移動して伸縮することができる、通常時には収縮用の隙間を有するように係合する係合片と係合凹部が形成された複数個の目地プレートと、前記スライド支持凹部上に位置する前記複数個の目地プレートおよび、該スライド支持凹部を覆うように前記他方の通路の床躯体に取付けられたカバープレートと、前記支持バーの位置している所まで形成された前記他方の通路の側壁に一端部が枢支され、他端部が一方の通路の側壁に枢支された一対の壁用目地装置とからなることを特徴とする通路用目地装置。」が知られている（例えば特許文献１）。
【０００３】
ところで、このような通路や渡り廊下と他方の躯体を接続するような目地装置を用いる場合、一般的に雨仕舞のためや目地装置の構造等を隠し見栄えを良くするために、目地装置の下部を覆うように底部がプレート状のフラッシング材を設置することがある。
【０００４】
しかしこのようなフラッシング材を設置した場合において、渡り廊下等が上下方向に揺れ動いた場合には、フラッシング材に渡り廊下が衝突し、カバープレート等が破損するおそれがあった。
【先行技術文献】
【特許文献】
【０００５】
【特許文献１】特開２０１２−３１７１３公報
【発明の概要】
【発明が解決しようとする課題】
【０００６】
本発明は以上のような従来の欠点に鑑み、渡り廊下等の通路が地震によって上下方向に揺れ動いた場合であっても、破損することなく、かつ、目地装置の設置部分の美観も維持することができる目地装置を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明の請求項１に記載の目地装置は、一方の躯体と、前記一方の躯体と目地部を介して設けられた他方の躯体と、前記一方の躯体に設けられ前記他方の躯体の方向に突出する通路と、前記通路と前記他方の躯体の間の前記目地部の一部を塞ぐ床用目地装置と、前記目地部の一部あるいは全部を塞ぐ壁面用目地装置と、前記一方の躯体に設けられ、前記床用目地装置及び前記壁面用目地装置の下部を覆うように設けられたカバー装置とで構成され、前記カバー装置は、前記他方の躯体に一端部が固定されて前記通路と隔てて下方に設けられ、かつ、突出端部が前記通路の突出端部付近の下方に位置するカバープレートと、前記カバープレートの前後方向にそれぞれ設けられ、一端部が回動可能に支持され、かつ前記壁面用目地装置の外側に当接するように設けられた側部カバー部材と、前記通路の底部と前記カバープレートの間の隙間を塞ぐ閉塞部材とで構成されることを特徴とする。
【０００９】
請求項２に記載の目地装置の前記閉塞部材は、弾性の樹脂板であることを特徴とする。
請求項３に記載の目地装置の前記閉塞部材は、上下方向に変位可能な閉塞板と、前記閉塞板の上端部が前記通路の底部に当接するように付勢する付勢具と、前記閉塞板の上端部が所定の位置より上方へ変位しないように制御するストッパーとで構成されることを特徴とする。
【００１０】
請求項４に記載の目地装置の前記床用目地装置は、前記他方の躯体にその一端部が取り付けられ、前記凹所に他端部が支持される複数個のバー部材と、この複数個のバー部材に架け渡すように取り付けられた複数個の目地プレートとで構成されることを特徴とする。
請求項５に記載の目地装置の前記壁面用目地装置は、一端部が通路の突出端部に取り付けられ、他端部が他方の躯体に取り付けられ、複数個の枢支部を有するリンク部材と、前記枢支部に枢支された複数個の目地カバーとで構成されることを特徴とする。
請求項６に記載の目地装置は、前記一方の躯体と前記他方の躯体の間の天井部分の目地部を塞ぐ天井用目地装置をさらに備えることを特徴とする
【発明の効果】
【００１１】
以上の説明から明らかなように、本発明にあっては次に列挙する効果が得られる。
（１）請求項１に記載された発明においては、通路と所定間隔を隔てて下方にカバープレートが設けられているので、地震によって通路が下方向に動いた場合であっても通路やカバープレート（カバー装置）が損傷等することなく、地震による揺れ動きを吸収することができる。
（２）また、側部カバー部材と閉塞部材を備えているので、通路や壁面用目地装置とカバープレートの間の隙間を塞ぐことができる。
したがって、雨水等がカバープレートと通路の間の隙間に侵入することを確実に防止することができる。
（３）請求項２乃至請求項６に記載の発明においても、前記（１）〜（２）と同様な効果が得られる。
【図面の簡単な説明】
【００１２】
図１乃至図７は本発明の第１の実施形態を示す説明図である。
図８乃至図１０は本発明の第２の実施形態を示す説明図である。
【図１】第１の実施形態の目地装置の平面図。
【図２】図１の２−２線に沿う断面図。
【図３】カバー装置の説明図。
【図４】地震で目地部が狭くなった場合の正面視側からの動作説明図。
【図５】地震で目地部が広くなった場合の正面視側からの動作説明図。
【図６】地震で左右の躯体が異なる前後方向に揺れ動いた場合の平面視側からの動作説明図。
【図７】地震で左右の躯体が異なる上下方向に揺れ動いた場合の正面視側からの動作説明図。
【図８】第２の実施形態の目地装置の平面図。
【図９】図８の９−９線に沿う断面図。
【図１０】カバー装置の説明図。
【発明を実施するための形態】
【００１３】
以下、図面に示す本発明を実施するための形態により、本発明を詳細に説明する。
図１乃至図７に示す本発明を実施するための第１の形態において、１は目地部２を介して設けられた一方の躯体３及び他方の躯体４間に設置された目地装置である。
【００１４】
なお、左右方向とは図２における左右方向であり、前後方向とは図１における上下方向（符号基準）をいい、上下方向とは図２における上下方向をいう。
【００１５】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１６】
この目地装置１は、図１及び図２に示すように、一方の躯体３と、前記一方の躯体３と目地部２を介して設けられた他方の躯体４と、前記一方の躯体３の壁面３ａに略直行するように設けられ前記他方の躯体４の方向に突出する渡り通路等の通路５と、前記通路５と他方の躯体４の間の床面部分の目地部２ａを塞ぐ床用目地装置６と、前記通路５と他方の躯体４の間の側面部分の目地部２ｂを塞ぐ壁面用目地装置７と、前記通路５と他方の躯体４の間の天井部分の目地部２ｃを塞ぐ天井用目地装置８と、前記一方の躯体３に設けられ、前記床用目地装置６及び壁面用目地装置７の下部を覆うように設けられたカバー装置９とで構成されている。
【００１７】
ここで「目地部２」とは広義では、一方の躯体３の壁面３ａと他方の躯体４の壁面４ａとの間のクリアランスをいい、狭義には、通路５の突出端面と他方の躯体４の壁面との間のクリアランスをいう。
【００１８】
前記通路５は、いわゆる渡り通路等のように一方の躯体３の壁面３ａに固定状態で一端部が設けられ、突出端部５ａが前記他方の躯体４側へ突出している。この通路５は断面視略上向きコ字状（天井がない形状）に形成されていてもよいし、断面視略ロ字状に形成されているものでもよい。本実施形態においては、断面視略ロ字状の通路５が用いられる。
ところで、本実施形態では、この通路５の突出端部付近の床面には、床用目地装置６を設置するための凹所１０が形成されている。
【００１９】
また、この通路５には、特に図示しないが、一端部が前記一方の躯体３の壁面３ａに固定され、他端部が通路の突出端部５ａ付近を支持するような補強部材が設けられている。
【００２０】
前記他方の躯体４は、前記通路５の突出端部５ａに対向するように開口部１１が設けられており、前記通路５の突出端部５ａとこの開口部１１の間の目地部２に床用目地装置６、壁面用目地装置７及び天井用目地装置８を設けてそれぞれ目地部２ｂの一部（床面間の目地部２ａ、壁面間の目地部２ｂ、天井間の目地部２ｃ）を塞いでいる。
【００２１】
床用目地装置６は、本実施形態においては、一端部が前記他方の躯体４の開口部付近にその一端部が前後方向に回転可能に取り付けられ、他端部が前記凹所１０に支持される複数個のバー部材１２と、この複数個のバー部材１２に架け渡すように枢支ピン等で取り付けられた複数個の目地プレート１３とで形成された床用目地プレート１４と、凹所１０を覆うカバー板１５とで構成されている。
【００２２】
このバー部材１２は、本実施形態では、他方の躯体４の開口部１１の床面付近に上下方向に移動可能に設けられた取付具１２ａを介して一端部が上下及び前後方向に回転可能に取り付けられている。また、カバー板１５も一端部が上下方向に回転可能に取り付けられる又は、目地プレート１３の上下変位に追従できる程度の弾性を有する材料で形成されることが望ましい。このようにバー部材１２やカバー板１５を構成することにより、地震による揺れ動きに追従することができる。
【００２３】
なお、通路５に凹所１０を形成せず、バー部材１２と目地プレート１３のみ（床用目地プレート１４のみ）で床用目地装置６を構成してもよい。
【００２４】
壁面用目地装置７は、一端部がヒンジ部１７ａを介して通路５の突出端面に取り付けられ、他端部がヒンジ部１７ａを介して他方の躯体４の壁面４ａに取り付けられ、複数個の枢支部１６を有するリンク部材１７と、このリンク部材１７の枢支部１６に枢支された複数個の目地カバー１８とで構成されている。
【００２５】
この壁面用目地装置７は、少なくとも外壁部分（外側部分）にのみ設置されれば機能としては問題ないが、渡り通路等を通行する際に内壁部分の美観をよくするため内壁部分にも目地カバー１８を配置することが望ましい。
【００２６】
このような場合、内壁用の壁面用目地装置７と外壁用の壁面用目地装置７をそれぞれ設けてもよく、リンク部材１７の内側と外側に目地カバー１８を固定して１つの壁面用目地装置７で内壁部分及び外壁部分の目地部２ｂを塞いでもよい。
【００２７】
本実施形態では、この目地カバー１８は平面視略クランク状のプレートが用いられており、その一端部がリンク部材１７の枢支部１６に直接又はバー状の取り付け部材（図示せず）等を介して取り付けられる。
【００２８】
この壁面用目地装置７の目地カバー１８を断面視略下向きコ字状に形成して壁面部分の目地部２ｂ及び天井部分の目地部２ｃを塞ぐものとしてもよく、断面視略ロ字状の目地カバー１８を用いて床面部分の目地部２ａ、壁面部分の目地部２ｂ及び天井部分の目地部２ｃ、すなわち目地部２の全部を塞いでもよい。このような場合、人等が通行する部位として床用目地装置６を別途設けてもよいし、この壁面用目地装置７が床用目地装置６を兼ねてもよい。
【００２９】
なお、断面視略上向きコ字状の通路５の場合には、伸縮手摺等も壁面用目地装置７として用いることができる。
【００３０】
本実施形態では、これに加え、天井部分の目地部を塞ぐ天井用目地装置８を設けている。なお、天井部分の目地部２についても、断面視略コ字状の目地カバーを用いて壁面用目地装置７で塞いでもよい。
【００３１】
前記天井用目地装置８は、他方の躯体の壁面に一端部が固定され、その上面が一方の躯体３に向かってやや下方に下がるような傾斜状に形成された複数個の目地板支持具１９と、この目地板支持具１９に固定され、上面が一方の躯体３に向かってやや下方に下がるような傾斜状に形成された板状の目地板２０とで構成されている。この目地板２０は、正面視略クランク形状に形成されており、その一端部は他方の躯体４の壁面に固定されている。
【００３２】
この目地板２０の他端部は、通常時（図１等の状態）において、前記通路の上方に位置するように形成されている。また、この目地板２０の他端部と、前記通路５の上面との間の隙間を塞ぐように、ゴム等の弾性材で形成された雨水カバー等（図示せず）を設けてもよい。
【００３３】
カバー装置９は、図３に示すように、一端部２１ａが他方の躯体４に固定されて通路５と所定間隔を隔てて下方に設けられ、かつ、その突出端部２１ｂが前記通路５の突出端部５ａ付近の下方に位置するカバープレート２１と、前記カバープレート２１の前後方向にそれぞれ設けられ、一端部が回動可能で、かつ前記壁面用目地装置の外側に当接するように設けられた側部カバー部材２２と、前記通路５の底部５ｂと前記カバープレート２１の間の隙間を塞ぐ閉塞部材２３とで構成されている。
【００３４】
カバープレート２１は、フラッシング材としても用いられるものであり、本実施形態では、略板状の部材で、通路５の底部５ｂから約２００ｍｍ以上下方に間隔を隔てて設けられている。この間隔については、本実施形態では、地震時に通路５が２００ｍｍ程度下方へ変異することを想定しているため、この寸法となっており、通路５の揺れ動き想定幅以上下方へ設ける必要がある。
【００３５】
このカバープレート２１の一端部は、他方の躯体４の壁面に固定具２８により固定されており、その突出端部は、通路５の突出端部５ａよりもやや目地部２の中央側に位置するように形成されている。
【００３６】
この固定具２８は、図２や図３等に示すように、一端部が他方の躯体４の壁面４ａに固定されたバー状の部材で、このバー状の固定具２８にカバープレート２１を固定している。
【００３７】
また、このカバープレート２１は、その前後方向の端部が壁面用目地装置７よりも外側に位置するように形成されており、具体的には、地震によって一方と他方の左右の躯体３、４が異なる前後方向に揺れ動いた場合に想定される揺れ動き幅よりも前後方向の寸法が大きくなるように形成されている。
【００３８】
側部カバー部材２２は、前後方向に一対設けられており、その一端部が他方の躯体４の壁面に略当接し、かつ、前後方向に回転可能に他方の躯体４の壁面又はカバープレート２１の上面に取り付けられている。ところで、略当接するとは、ピッタリと当接している状態及び僅かな隙間を介して離間している状態をも含むものである。
【００３９】
この一対の側部カバー部材２２は、その下端部が前記カバープレート２１と当接するとともに、その内側の面が壁面用目地装置７の目地カバー１８と当接している。また、側部カバー部材２２の一端部の回転軸２４（ヒンジ部）には、側部カバー部材２２を常時目地カバー１８側へ回動するように付勢する付勢手段（図示せず）が設けられている。この付勢手段は、本実施形態では、ねじりバネのような部材を想定しているが、例えば一端部が他方の躯体４に固定され他端部が側部カバー部材２２の外側面に固定された押しバネ等を用いてもよい。
【００４０】
閉塞部材２３は、本実施形態では、ゴム等の弾性を有する樹脂板で形成され、その下端部がカバープレート２１の突出端部付近に固定され、その上端部が通路５の底部５ｂに当接している。
【００４１】
このようにカバープレート２１と通路５の間の隙間を閉塞部材２３で閉塞することにより、雨水や鳥の侵入を防止することができる。
【００４２】
地震によって一方と他方の左右の躯体３、４が左右方向に揺れ動き目地部２が狭くなると、図４に示すように、床用目地プレート１４が凹所１０上を左右方向にスライド移動するとともに、壁面用目地装置７のリンク部材１７が縮み、このリンク部材１７の枢支部１６に取り付けられた複数個の目地カバー１８同士の間隔も狭まり、その重なり幅が大きくなって、地震による揺れ動きを吸収する。
【００４３】
地震で躯体３、４が左右方向に揺れ動き目地部２が広くなると、図５に示すように、床用目地プレート１４が凹所１０上を左右方向にスライド移動するとともに、壁面用目地装置７のリンク部材１７が伸長し、このリンク部材１７の枢支部１６に取り付けられた複数個の目地カバー１８同士の間隔も広まり、その重なり幅が小さくなって、地震による揺れ動きを吸収する。
【００４４】
地震で左右の躯体３、４が異なる前後方向に揺れ動くと、図６に示すように、バー部材１２がその一端部を支点に回動するとともに、複数個の目地プレート１３同士の間隔が狭まって床用目地プレート１４全体として平面視略平行四辺形状に変形するとともに、壁面用目地装置７のリンク部材１７がヒンジ部１７ａを支点に回動し地震による揺れ動きを吸収する。
【００４５】
また、カバー装置９の側部カバー部材２２の一端部側の回動軸２４を軸に回転し、揺れ動きを吸収する。
【００４６】
地震で左右の躯体３、４が異なる上下方向に揺れ動き、図７に示すように、通路５の突出端部５ａが下方に変異すると、床用目地装置６のバー部材１２は一端部を支点に下方に回動するとともに、カバー板１５がその動きに追従する。
【００４７】
また、カバー装置９の閉塞部材２３は、通路５により押圧されて閉塞部材２３が有する弾性により縮み、左右の躯体３、４が通常状態に戻った際には、自動的に通常時の状態に復帰する。
【００４８】
[発明を実施するための異なる形態]
次に、図８乃至図１０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００４９】
図８乃至図１０に示す本発明を実施するための第２の形態において、前記本発明を実施するための第１の形態と主に異なる点は、上下方向に回動可能に一端部が取り付けられた閉塞板２５と、前記閉塞板２５の他端部が上方に変位するように付勢する付勢具２６と、前記閉塞板２５の他端部が所定の位置より上方へ変位しないように制御するストッパー２７とで閉塞部材２３Ａを構成したカバー装置９Ａを用いた点で、このような目地装置１Ａにしても、前記本発明を実施するための第１の形態と同様の作用効果を得ることができる。
【００５０】
この閉塞板２５は、図１０に示すように、一端部がカバープレート２１の上面にヒンジ部材２８を介して回動可能に取り付けられており、閉塞板２５の他端部を上方へ回動させて変位させるように、一端部がカバープレート２１の上面に固定され、他端部が閉塞板２５の下面に当接するコイルスプリングを用いた付勢具２６が設けられている。また、閉塞板２５の他端部が通路５の底部５ｂよりも上方へ変位することを防止するために、ワイヤー状のストッパー２７が設けられている。
【００５１】
地震によって通路５の突出端部５ａが下方へ変位した場合には、通路５の突出端部５ａが閉塞板２５を下方へ押圧し、閉塞板２５は付勢具２６の付勢力に抗してヒンジ部材２８を支点に他端部が下方へ変異するように回動する。
【００５２】
なお、床用目地装置や壁面用目地装置は、詳細な説明で記載したもののほか、公知の床用目地装置や壁面用目地装置を適宜用いることができる。
また、閉塞部材についても、本発明の実施形態で説明したものに限られず、通路の下方向の移動に追従できるとともに、少なくとも通常時及び通路が下方向に揺れ動いた場合において、通路とカバープレートとの間の隙間を塞ぐことができるものであれば、どのようなものでもよい。
【産業上の利用可能性】
【００５３】
本発明は目地装置を製造する産業で利用される。
【符号の説明】
【００５４】
１、１Ａ：目地装置、                ２：目地部、
３：一方の躯体、                    ４：他方の躯体、
５：通路、                          ６：床用目地装置、
７：壁面用目地装置、                ８：天井用目地装置、
９、９Ａ：カバー装置、              １０：凹所、
１１：開口部、                      １２：バー部材、
１３：目地プレート、                １４：床用目地プレート、
１５：カバー板、                    １６：枢支部材、
１７：リンク部材、                  １８：目地カバー、
１９：目地板支持具、                ２０：目地板、
２１：カバープレート、              ２２：側部カバー部材、
２３、２３Ａ：閉塞部材              ２４：回転軸、
２５：閉塞板、                      ２６：付勢具、
２７：ストッパー、                  ２８：固定具。
【図１】
2020172766.tif 000003
【図２】
2020172766.tif 000004
【図３】
2020172766.tif 000005
【図４】
2020172766.tif 000006
【図５】
2020172766.tif 000007
【図６】
2020172766.tif 000008
【図７】
2020172766.tif 000009
【図８】
2020172766.tif 000010
【図９】
2020172766.tif 000011
【図１０】
2020172766.tif 000012
【手続補正書】
【提出日】令和2年6月30日(2020.6.30)
【手続補正１】
【補正対象書類名】特許請求の範囲
【補正対象項目名】全文
【補正方法】変更
【補正の内容】
【特許請求の範囲】
【請求項１】
一方の躯体と、前記一方の躯体と目地部を介して設けられた他方の躯体と、前記一方の躯体に設けられ前記他方の躯体の方向に突出する通路と、前記通路と前記他方の躯体の間の前記目地部の一部を塞ぐ床用目地装置と、前記目地部の一部あるいは全部を塞ぐ壁面用目地装置と、前記一方の躯体に設けられ、前記床用目地装置及び前記壁面用目地装置の下部を覆うように設けられたカバー装置とで構成され、前記カバー装置は、前記他方の躯体に一端部が固定されて前記通路と隔てて下方に設けられ、かつ、突出端部が前記通路の突出端部付近の下方に位置するカバープレートと、前記カバープレートの前後方向にそれぞれ設けられ、一端部が回動可能に支持され、かつ前記壁面用目地装置の外側に当接するように設けられた側部カバー部材と、前記通路の底部と前記カバープレートの間の隙間を塞ぐ閉塞部材とで構成され、
前記閉塞部材は、上下方向に変位可能な閉塞板と、前記閉塞板の端部が前記通路の底部に当接するように付勢する付勢具と、前記閉塞板の端部が所定の位置より上方へ変位しないように制御するストッパーとで構成される目地装置。
【請求項２】
前記床用目地装置は、前記他方の躯体にその一端部が取り付けられ、前記通路に他端部が支持される複数個のバー部材と、前記複数個のバー部材に架け渡すように取り付けられた複数個の目地プレートとで構成されることを特徴とする請求項１に記載の目地装置。
【請求項３】
前記壁面用目地装置は、一端部が前記通路の突出端部に取り付けられ、他端部が前記他方の躯体に取り付けられ、複数個の枢支部を有するリンク部材と、前記枢支部に枢支された複数個の目地カバーとで構成されることを特徴とする請求項１又は請求項２のいずれかに記載の目地装置。
【請求項４】
前記一方の躯体と前記他方の躯体の間の天井部分の目地部を塞ぐ天井用目地装置をさらに備えることを特徴とする請求項１乃至請求項３のいずれかに記載の目地装置。
【手続補正２】
【補正対象書類名】明細書
【補正対象項目名】全文
【補正方法】変更
【補正の内容】
【発明の詳細な説明】
【技術分野】
【０００１】
本発明は目地部を介して設けられた躯体の間、主に一方の躯体に設けられた渡り廊下等の通路と他方の躯体間の目地部を塞ぐ目地装置に関する。
【背景技術】
【０００２】
従来、一方の躯体に設けられ、他方の躯体側に突出した渡り廊下等の通路と他方の躯体との間の目地部を塞ぐ目地装置としては、「一方の建物の一方の通路の開口端部と目地部を介して配置される他方の建物の他方の通路の目地部側の床面に、該目地部の幅寸法の約２倍の幅寸法で形成されたスライド支持凹部と、一端部が前記一方の通路の開口端部の床躯体に所定間隔で枢支され、他端部が前記スライド支持凹部のほぼ中央部にスライド移動可能に位置する支持バーに所定間隔で枢支された複数本のプレート支持バーと、前記支持バーを前記スライド支持凹部のほぼ中央部を支持した状態で左右方向にスライド移動させるガイド手段と、前記複数本のプレート支持バー上を覆うように枢支され、かつ両側部にスライド移動して伸縮することができる、通常時には収縮用の隙間を有するように係合する係合片と係合凹部が形成された複数個の目地プレートと、前記スライド支持凹部上に位置する前記複数個の目地プレートおよび、該スライド支持凹部を覆うように前記他方の通路の床躯体に取付けられたカバープレートと、前記支持バーの位置している所まで形成された前記他方の通路の側壁に一端部が枢支され、他端部が一方の通路の側壁に枢支された一対の壁用目地装置とからなることを特徴とする通路用目地装置。」が知られている（例えば特許文献１）。
【０００３】
ところで、このような通路や渡り廊下と他方の躯体を接続するような目地装置を用いる場合、一般的に雨仕舞のためや目地装置の構造等を隠し見栄えを良くするために、目地装置の下部を覆うように底部がプレート状のフラッシング材を設置することがある。
【０００４】
しかしこのようなフラッシング材を設置した場合において、渡り廊下等が上下方向に揺れ動いた場合には、フラッシング材に渡り廊下が衝突し、カバープレート等が破損するおそれがあった。
【先行技術文献】
【特許文献】
【０００５】
【特許文献１】特開２０１２−３１７１３公報
【発明の概要】
【発明が解決しようとする課題】
【０００６】
本発明は以上のような従来の欠点に鑑み、渡り廊下等の通路が地震によって上下方向に揺れ動いた場合であっても、破損することなく、かつ、目地装置の設置部分の美観も維持することができる目地装置を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明の請求項１に記載の目地装置は、一方の躯体と、前記一方の躯体と目地部を介して設けられた他方の躯体と、前記一方の躯体に設けられ前記他方の躯体の方向に突出する通路と、前記通路と前記他方の躯体の間の前記目地部の一部を塞ぐ床用目地装置と、前記目地部の一部あるいは全部を塞ぐ壁面用目地装置と、前記一方の躯体に設けられ、前記床用目地装置及び前記壁面用目地装置の下部を覆うように設けられたカバー装置とで構成され、前記カバー装置は、前記他方の躯体に一端部が固定されて前記通路と隔てて下方に設けられ、かつ、突出端部が前記通路の突出端部付近の下方に位置するカバープレートと、前記カバープレートの前後方向にそれぞれ設けられ、一端部が回動可能に支持され、かつ前記壁面用目地装置の外側に当接するように設けられた側部カバー部材と、前記通路の底部と前記カバープレートの間の隙間を塞ぐ閉塞部材とで構成され、前記閉塞部材は、上下方向に変位可能な閉塞板と、前記閉塞板の上端部が前記通路の底部に当接するように付勢する付勢具と、前記閉塞板の上端部が所定の位置より上方へ変位しないように制御するストッパーとで構成されることを特徴とする。
【０００９】
【００１０】
請求項２に記載の目地装置の前記床用目地装置は、前記他方の躯体にその一端部が取り付けられ、前記凹所に他端部が支持される複数個のバー部材と、この複数個のバー部材に架け渡すように取り付けられた複数個の目地プレートとで構成されることを特徴とする。
請求項３に記載の目地装置の前記壁面用目地装置は、一端部が通路の突出端部に取り付けられ、他端部が他方の躯体に取り付けられ、複数個の枢支部を有するリンク部材と、前記枢支部に枢支された複数個の目地カバーとで構成されることを特徴とする。
請求項４に記載の目地装置は、前記一方の躯体と前記他方の躯体の間の天井部分の目地部を塞ぐ天井用目地装置をさらに備えることを特徴とする
【発明の効果】
【００１１】
以上の説明から明らかなように、本発明にあっては次に列挙する効果が得られる。
（１）請求項１に記載された発明においては、通路と所定間隔を隔てて下方にカバープレートが設けられているので、地震によって通路が下方向に動いた場合であっても通路やカバープレート（カバー装置）が損傷等することなく、地震による揺れ動きを吸収することができる。
（２）また、側部カバー部材と閉塞部材を備えているので、通路や壁面用目地装置とカバープレートの間の隙間を塞ぐことができる。
したがって、雨水等がカバープレートと通路の間の隙間に侵入することを確実に防止することができる。
（３）請求項２乃至請求項４に記載の発明においても、前記（１）〜（２）と同様な効果が得られる。
【図面の簡単な説明】
【００１２】
図１乃至図７は本発明の第１の実施形態を示す説明図である。
図８乃至図１０は本発明の第２の実施形態を示す説明図である。
【図１】第１の実施形態の目地装置の平面図。
【図２】図１の２−２線に沿う断面図。
【図３】カバー装置の説明図。
【図４】地震で目地部が狭くなった場合の正面視側からの動作説明図。
【図５】地震で目地部が広くなった場合の正面視側からの動作説明図。
【図６】地震で左右の躯体が異なる前後方向に揺れ動いた場合の平面視側からの動作説明図。
【図７】地震で左右の躯体が異なる上下方向に揺れ動いた場合の正面視側からの動作説明図。
【図８】第２の実施形態の目地装置の平面図。
【図９】図８の９−９線に沿う断面図。
【図１０】カバー装置の説明図。
【発明を実施するための形態】
【００１３】
以下、図面に示す本発明を実施するための形態により、本発明を詳細に説明する。
図１乃至図７に示す本発明を実施するための第１の形態において、１は目地部２を介して設けられた一方の躯体３及び他方の躯体４間に設置された目地装置である。
【００１４】
なお、左右方向とは図２における左右方向であり、前後方向とは図１における上下方向（符号基準）をいい、上下方向とは図２における上下方向をいう。
【００１５】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１６】
この目地装置１は、図１及び図２に示すように、一方の躯体３と、前記一方の躯体３と目地部２を介して設けられた他方の躯体４と、前記一方の躯体３の壁面３ａに略直行するように設けられ前記他方の躯体４の方向に突出する渡り通路等の通路５と、前記通路５と他方の躯体４の間の床面部分の目地部２ａを塞ぐ床用目地装置６と、前記通路５と他方の躯体４の間の側面部分の目地部２ｂを塞ぐ壁面用目地装置７と、前記通路５と他方の躯体４の間の天井部分の目地部２ｃを塞ぐ天井用目地装置８と、前記一方の躯体３に設けられ、前記床用目地装置６及び壁面用目地装置７の下部を覆うように設けられたカバー装置９とで構成されている。
【００１７】
ここで「目地部２」とは広義では、一方の躯体３の壁面３ａと他方の躯体４の壁面４ａとの間のクリアランスをいい、狭義には、通路５の突出端面と他方の躯体４の壁面との間のクリアランスをいう。
【００１８】
前記通路５は、いわゆる渡り通路等のように一方の躯体３の壁面３ａに固定状態で一端部が設けられ、突出端部５ａが前記他方の躯体４側へ突出している。この通路５は断面視略上向きコ字状（天井がない形状）に形成されていてもよいし、断面視略ロ字状に形成されているものでもよい。本実施形態においては、断面視略ロ字状の通路５が用いられる。
ところで、本実施形態では、この通路５の突出端部付近の床面には、床用目地装置６を設置するための凹所１０が形成されている。
【００１９】
また、この通路５には、特に図示しないが、一端部が前記一方の躯体３の壁面３ａに固定され、他端部が通路の突出端部５ａ付近を支持するような補強部材が設けられている。
【００２０】
前記他方の躯体４は、前記通路５の突出端部５ａに対向するように開口部１１が設けられており、前記通路５の突出端部５ａとこの開口部１１の間の目地部２に床用目地装置６、壁面用目地装置７及び天井用目地装置８を設けてそれぞれ目地部２ｂの一部（床面間の目地部２ａ、壁面間の目地部２ｂ、天井間の目地部２ｃ）を塞いでいる。
【００２１】
床用目地装置６は、本実施形態においては、一端部が前記他方の躯体４の開口部付近にその一端部が前後方向に回転可能に取り付けられ、他端部が前記凹所１０に支持される複数個のバー部材１２と、この複数個のバー部材１２に架け渡すように枢支ピン等で取り付けられた複数個の目地プレート１３とで形成された床用目地プレート１４と、凹所１０を覆うカバー板１５とで構成されている。
【００２２】
このバー部材１２は、本実施形態では、他方の躯体４の開口部１１の床面付近に上下方向に移動可能に設けられた取付具１２ａを介して一端部が上下及び前後方向に回転可能に取り付けられている。また、カバー板１５も一端部が上下方向に回転可能に取り付けられる又は、目地プレート１３の上下変位に追従できる程度の弾性を有する材料で形成されることが望ましい。このようにバー部材１２やカバー板１５を構成することにより、地震による揺れ動きに追従することができる。
【００２３】
なお、通路５に凹所１０を形成せず、バー部材１２と目地プレート１３のみ（床用目地プレート１４のみ）で床用目地装置６を構成してもよい。
【００２４】
壁面用目地装置７は、一端部がヒンジ部１７ａを介して通路５の突出端面に取り付けられ、他端部がヒンジ部１７ａを介して他方の躯体４の壁面４ａに取り付けられ、複数個の枢支部１６を有するリンク部材１７と、このリンク部材１７の枢支部１６に枢支された複数個の目地カバー１８とで構成されている。
【００２５】
この壁面用目地装置７は、少なくとも外壁部分（外側部分）にのみ設置されれば機能としては問題ないが、渡り通路等を通行する際に内壁部分の美観をよくするため内壁部分にも目地カバー１８を配置することが望ましい。
【００２６】
このような場合、内壁用の壁面用目地装置７と外壁用の壁面用目地装置７をそれぞれ設けてもよく、リンク部材１７の内側と外側に目地カバー１８を固定して１つの壁面用目地装置７で内壁部分及び外壁部分の目地部２ｂを塞いでもよい。
【００２７】
本実施形態では、この目地カバー１８は平面視略クランク状のプレートが用いられており、その一端部がリンク部材１７の枢支部１６に直接又はバー状の取り付け部材（図示せず）等を介して取り付けられる。
【００２８】
この壁面用目地装置７の目地カバー１８を断面視略下向きコ字状に形成して壁面部分の目地部２ｂ及び天井部分の目地部２ｃを塞ぐものとしてもよく、断面視略ロ字状の目地カバー１８を用いて床面部分の目地部２ａ、壁面部分の目地部２ｂ及び天井部分の目地部２ｃ、すなわち目地部２の全部を塞いでもよい。このような場合、人等が通行する部位として床用目地装置６を別途設けてもよいし、この壁面用目地装置７が床用目地装置６を兼ねてもよい。
【００２９】
なお、断面視略上向きコ字状の通路５の場合には、伸縮手摺等も壁面用目地装置７として用いることができる。
【００３０】
本実施形態では、これに加え、天井部分の目地部を塞ぐ天井用目地装置８を設けている。なお、天井部分の目地部２についても、断面視略コ字状の目地カバーを用いて壁面用目地装置７で塞いでもよい。
【００３１】
前記天井用目地装置８は、他方の躯体の壁面に一端部が固定され、その上面が一方の躯体３に向かってやや下方に下がるような傾斜状に形成された複数個の目地板支持具１９と、この目地板支持具１９に固定され、上面が一方の躯体３に向かってやや下方に下がるような傾斜状に形成された板状の目地板２０とで構成されている。この目地板２０は、正面視略クランク形状に形成されており、その一端部は他方の躯体４の壁面に固定されている。
【００３２】
この目地板２０の他端部は、通常時（図１等の状態）において、前記通路の上方に位置するように形成されている。また、この目地板２０の他端部と、前記通路５の上面との間の隙間を塞ぐように、ゴム等の弾性材で形成された雨水カバー等（図示せず）を設けてもよい。
【００３３】
カバー装置９は、図３に示すように、一端部２１ａが他方の躯体４に固定されて通路５と所定間隔を隔てて下方に設けられ、かつ、その突出端部２１ｂが前記通路５の突出端部５ａ付近の下方に位置するカバープレート２１と、前記カバープレート２１の前後方向にそれぞれ設けられ、一端部が回動可能で、かつ前記壁面用目地装置の外側に当接するように設けられた側部カバー部材２２と、前記通路５の底部５ｂと前記カバープレート２１の間の隙間を塞ぐ閉塞部材２３とで構成されている。
【００３４】
カバープレート２１は、フラッシング材としても用いられるものであり、本実施形態では、略板状の部材で、通路５の底部５ｂから約２００ｍｍ以上下方に間隔を隔てて設けられている。この間隔については、本実施形態では、地震時に通路５が２００ｍｍ程度下方へ変異することを想定しているため、この寸法となっており、通路５の揺れ動き想定幅以上下方へ設ける必要がある。
【００３５】
このカバープレート２１の一端部は、他方の躯体４の壁面に固定具２８により固定されており、その突出端部は、通路５の突出端部５ａよりもやや目地部２の中央側に位置するように形成されている。
【００３６】
この固定具２８は、図２や図３等に示すように、一端部が他方の躯体４の壁面４ａに固定されたバー状の部材で、このバー状の固定具２８にカバープレート２１を固定している。
【００３７】
また、このカバープレート２１は、その前後方向の端部が壁面用目地装置７よりも外側に位置するように形成されており、具体的には、地震によって一方と他方の左右の躯体３、４が異なる前後方向に揺れ動いた場合に想定される揺れ動き幅よりも前後方向の寸法が大きくなるように形成されている。
【００３８】
側部カバー部材２２は、前後方向に一対設けられており、その一端部が他方の躯体４の壁面に略当接し、かつ、前後方向に回転可能に他方の躯体４の壁面又はカバープレート２１の上面に取り付けられている。ところで、略当接するとは、ピッタリと当接している状態及び僅かな隙間を介して離間している状態をも含むものである。
【００３９】
この一対の側部カバー部材２２は、その下端部が前記カバープレート２１と当接するとともに、その内側の面が壁面用目地装置７の目地カバー１８と当接している。また、側部カバー部材２２の一端部の回転軸２４（ヒンジ部）には、側部カバー部材２２を常時目地カバー１８側へ回動するように付勢する付勢手段（図示せず）が設けられている。この付勢手段は、本実施形態では、ねじりバネのような部材を想定しているが、例えば一端部が他方の躯体４に固定され他端部が側部カバー部材２２の外側面に固定された押しバネ等を用いてもよい。
【００４０】
閉塞部材２３は、本実施形態では、ゴム等の弾性を有する樹脂板で形成され、その下端部がカバープレート２１の突出端部付近に固定され、その上端部が通路５の底部５ｂに当接している。
【００４１】
このようにカバープレート２１と通路５の間の隙間を閉塞部材２３で閉塞することにより、雨水や鳥の侵入を防止することができる。
【００４２】
地震によって一方と他方の左右の躯体３、４が左右方向に揺れ動き目地部２が狭くなると、図４に示すように、床用目地プレート１４が凹所１０上を左右方向にスライド移動するとともに、壁面用目地装置７のリンク部材１７が縮み、このリンク部材１７の枢支部１６に取り付けられた複数個の目地カバー１８同士の間隔も狭まり、その重なり幅が大きくなって、地震による揺れ動きを吸収する。
【００４３】
地震で躯体３、４が左右方向に揺れ動き目地部２が広くなると、図５に示すように、床用目地プレート１４が凹所１０上を左右方向にスライド移動するとともに、壁面用目地装置７のリンク部材１７が伸長し、このリンク部材１７の枢支部１６に取り付けられた複数個の目地カバー１８同士の間隔も広まり、その重なり幅が小さくなって、地震による揺れ動きを吸収する。
【００４４】
地震で左右の躯体３、４が異なる前後方向に揺れ動くと、図６に示すように、バー部材１２がその一端部を支点に回動するとともに、複数個の目地プレート１３同士の間隔が狭まって床用目地プレート１４全体として平面視略平行四辺形状に変形するとともに、壁面用目地装置７のリンク部材１７がヒンジ部１７ａを支点に回動し地震による揺れ動きを吸収する。
【００４５】
また、カバー装置９の側部カバー部材２２の一端部側の回動軸２４を軸に回転し、揺れ動きを吸収する。
【００４６】
地震で左右の躯体３、４が異なる上下方向に揺れ動き、図７に示すように、通路５の突出端部５ａが下方に変異すると、床用目地装置６のバー部材１２は一端部を支点に下方に回動するとともに、カバー板１５がその動きに追従する。
【００４７】
また、カバー装置９の閉塞部材２３は、通路５により押圧されて閉塞部材２３が有する弾性により縮み、左右の躯体３、４が通常状態に戻った際には、自動的に通常時の状態に復帰する。
【００４８】
[発明を実施するための異なる形態]
次に、図８乃至図１０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００４９】
図８乃至図１０に示す本発明を実施するための第２の形態において、前記本発明を実施するための第１の形態と主に異なる点は、上下方向に回動可能に一端部が取り付けられた閉塞板２５と、前記閉塞板２５の他端部が上方に変位するように付勢する付勢具２６と、前記閉塞板２５の他端部が所定の位置より上方へ変位しないように制御するストッパー２７とで閉塞部材２３Ａを構成したカバー装置９Ａを用いた点で、このような目地装置１Ａにしても、前記本発明を実施するための第１の形態と同様の作用効果を得ることができる。
【００５０】
この閉塞板２５は、図１０に示すように、一端部がカバープレート２１の上面にヒンジ部材２８を介して回動可能に取り付けられており、閉塞板２５の他端部を上方へ回動させて変位させるように、一端部がカバープレート２１の上面に固定され、他端部が閉塞板２５の下面に当接するコイルスプリングを用いた付勢具２６が設けられている。また、閉塞板２５の他端部が通路５の底部５ｂよりも上方へ変位することを防止するために、ワイヤー状のストッパー２７が設けられている。
【００５１】
地震によって通路５の突出端部５ａが下方へ変位した場合には、通路５の突出端部５ａが閉塞板２５を下方へ押圧し、閉塞板２５は付勢具２６の付勢力に抗してヒンジ部材２８を支点に他端部が下方へ変異するように回動する。
【００５２】
なお、床用目地装置や壁面用目地装置は、詳細な説明で記載したもののほか、公知の床用目地装置や壁面用目地装置を適宜用いることができる。
また、閉塞部材についても、本発明の実施形態で説明したものに限られず、通路の下方向の移動に追従できるとともに、少なくとも通常時及び通路が下方向に揺れ動いた場合において、通路とカバープレートとの間の隙間を塞ぐことができるものであれば、どのようなものでもよい。
【産業上の利用可能性】
【００５３】
本発明は目地装置を製造する産業で利用される。
【符号の説明】
【００５４】
１、１Ａ：目地装置、                ２：目地部、
３：一方の躯体、                    ４：他方の躯体、
５：通路、                          ６：床用目地装置、
７：壁面用目地装置、                ８：天井用目地装置、
９、９Ａ：カバー装置、              １０：凹所、
１１：開口部、                      １２：バー部材、
１３：目地プレート、                １４：床用目地プレート、
１５：カバー板、                    １６：枢支部材、
１７：リンク部材、                  １８：目地カバー、
１９：目地板支持具、                ２０：目地板、
２１：カバープレート、              ２２：側部カバー部材、
２３、２３Ａ：閉塞部材              ２４：回転軸、
２５：閉塞板、                      ２６：付勢具、
２７：ストッパー、                  ２８：固定具。